【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  組織を貫通する十分に鋭い遠位端を備える誘導針と、
第１セットのＲＦ電極及び第２セットのＲＦ電極を含むエネルギ伝達装置と、
を含み、前記第１及び第２セットのＲＦ電極の各々は、組織を貫通する遠位端を持ち、前記誘導針が組織を通って前進する時に前記誘導針内に位置することが可能であり、
前記第１及び第２セットのＲＦ電極は、前記誘導針から湾曲して配置可能であり、
前記第２セットのＲＦ電極は、前記第１セットのＲＦ電極よりも前記誘導針から遠距離に配置可能であることを特徴とし、さらに
前記第１セット、又は第２セットの電極の少なくとも１つに結合された前進部材、
を含み、前記先進部材は、前記第１及び第２セットの電極を固形腫瘍塊の中に前進させるようにされ、かつ該前進部材の動きを制御、又は制限するように構成された直径又は形状を持つ作動可能部分を含み、前記前進部材の少なくとも一部分は、前記誘導針内に位置することが可能である
ことを特徴とする細胞壊死装置。
【請求項２】  組織を貫通する遠位端を備え、前記誘導針が組織を通って前進する時に前記誘導針内に位置することが可能であり、前記第１及び第２セットのＲＦ電極よりも湾曲せずに前記誘導針から配置可能である配置可能部材、
をさらに含むことを特徴とする、請求項１に記載の装置。
【請求項３】  前記配置可能部材の少なくとも一部は、ＲＦ電極である
ことを特徴とする請求項２に記載の装置。
【請求項４】  前記配置可能部材の遠位部分に結合されたセンサ
をさらに含むことを特徴とする、請求項２に記載の装置。
【請求項５】  前記配置可能部材の遠位部分に結合されたセンサ
をさらに含むことを特徴とする、請求項３に記載の装置。
【請求項６】  前記配置可能部材の外部に置かれた絶縁体
をさらに含むことを特徴とする、請求項２に記載の装置。
【請求項７】  前記配置可能部材の少なくとも一部分に置かれた絶縁体
をさらに含むことを特徴とする、請求項３に記載の装置。
【請求項８】  前記第１及び第２セットのＲＦ電極の少なくとも一部分は、非円形断面の幾何学的形状を持つ
ことを特徴とする、請求項１に記載の装置。
【請求項９】  前記非円形断面の幾何学的形状は、長さが幅よりも大きい幅及び長さを含む
ことを特徴とする、請求項８に記載の装置。
【請求項１０】  前記第１及び第２セットのＲＦ電極の少なくとも一部分は、超音波的に可視であるのに十分な外部表面積を備える非円形断面の幾何学的形状を持つ
ことを特徴とする、請求項１に記載の装置。
【請求項１１】  前記第１及び第２セットのＲＦ電極の少なくとも一部分は、組織を貫通する、超音波的に可視である遠位端を持つ
ことを特徴とする、請求項１に記載の装置。
【請求項１２】  前記第１及び第２セットのＲＦ電極の少なくとも一部分は、組織を貫通する、少なくとも２５°の切断角を持つ遠位端を持つ
ことを特徴とする、請求項１に記載の装置。
【請求項１３】  前記第１及び第２セットのＲＦ電極の少なくとも一部分は、組織を貫通する、少なくとも３０°の切断角を持つ遠位端を持つ
ことを特徴とする、請求項１に記載の装置。
【請求項１４】  前記配置部材の前記組織を貫通する遠位端は、超音波的に可視である
ことを特徴とする、請求項２に記載の装置。
【請求項１５】  前記配置可能部材の前記組織を貫通する遠位端は、少なくとも２５°の切断角を持つ
ことを特徴とする、請求項１に記載の装置。
【請求項１６】  前記配置可能部材の前記組織を貫通する遠位端は、少なくとも３０°の切断角を持つ
ことを特徴とする、請求項１に記載の装置。
【請求項１７】  前記第１及び第２セットのＲＦ電極に結合したスペーサ部材
を更に含むことを特徴とする、請求項１に記載の装置。
【請求項１８】  前記スペーサ部材は、前記誘導針から前進可能である
ことを特徴とする、請求項１７に記載の装置。
【請求項１９】  前記スペーサ部材は、前記ＲＦ電極を備える前記誘導針から前進可能である
ことを特徴とする、請求項１７に記載の装置。
【請求項２０】  前記スペーサ部材は、前記ＲＦ電極を前記スペーサ部材から電気的に分離するＲＦ絶縁体を含む
ことを特徴とする、請求項１７に記載の装置。
【請求項２１】  前記スペーサ部材の少なくとも一部分は、ＲＦ電極である
ことを特徴とする、請求項１７に記載の装置。
【請求項２２】  前記エネルギ伝達装置に結合された第１のセンサ
をさらに含むことを特徴とする、請求項２０に記載の装置。
【請求項２３】  前記第１セットのＲＦ電極の電極に結合された第１のセンサ、及び第２のセンサ
をさらに含むことを特徴とする、請求項２０に記載の装置。
【請求項２４】  前記第１及び第２センサは、前記電極の異なる外面位置に結合している
ことを特徴とする、請求項２３に記載の装置。
【請求項２５】  前記第２セットのＲＦ電極に結合された第３のセンサ
をさらに含むことを特徴とする、請求項２３に記載の装置。
【請求項２６】  前記第２セットのＲＦ電極の前記電極に結合された第４のセンサ
をさらに含むことを特徴とする、請求項２５に記載の装置。
【請求項２７】  前記第３及び第４センサは、前記電極の異なる外面位置に結合している
ことを特徴とする、請求項２５に記載の装置。
【請求項２８】  前記第２セットのＲＦ電極の電極の異なる外面位置に結合された第３のセンサ、及び第４のセンサ
をさらに含むことを特徴とする、請求項２５に記載の装置。
【請求項２９】  前記第１セットのＲＦ電極の第１の電極に結合された第１のセンサ、及び、前記第１セットのＲＦ電極の第２の電極に結合された第２のセンサ
を更に含むことを特徴とする、請求項１に記載の装置。
【請求項３０】  前記第２セットのＲＦ電極の第１の電極に結合された第３のセンサ
を更に含むことを特徴とする、請求項２９に記載の装置。
【請求項３１】  前記第２セットのＲＦ電極の第２の電極に結合された第４のセンサ
を更に含むことを特徴とする、請求項３０に記載の装置。
【請求項３２】  前記第１セットのＲＦ電極は、第１の電極及び第２の電極を含み、前記第２セットのＲＦ電極は、第３の電極及び第４の電極を含む
ことを特徴とする、請求項１に記載の装置。
【請求項３３】  前記第１セットのＲＦ電極の第１の電極の外面に置かれた第１の絶縁部材、
を更に含むことを特徴とする請求項１に記載の装置。
【請求項３４】  前記第１セットのＲＦ電極の第２の電極の外面に置かれた第２の絶縁部材
を更に含むことを特徴とする請求項３３に記載の装置。
【請求項３５】  前記第１セットのＲＦ電極の第１の電極に結合された第１の絶縁部材、
を更に含み、前記第１の絶縁部材は、前記第１電極の第１の外部位置の周りの円周に延びる第１の絶縁区画、及び、前記第１電極の第２の外部位置の周りの円周に延びる第２の絶縁区画を含み、
前記第１電極は、前記第１及び第２の絶縁区画の間に位置する活性のエネルギ伝達面を持つ、
ことを特徴とする請求項１に記載の装置。
【請求項３６】  前記第１セットのＲＦ電極の第２の電極に結合された第２の絶縁部材、
を更に含み、前記第２の絶縁部材は、前記第２電極の第１の外部位置の周りの円周に延びる第１の絶縁区画、及び、前記第２電極の第２の外部位置の周りの円周に延びる第２の絶縁区画を含み、
前記第２電極は、前記第１及び第２の絶縁区画の間に位置する活性のエネルギ伝達面を持つ
ことを特徴とする請求項３５に記載の装置。
【請求項３７】  前記第２セットのＲＦ電極の第１の電極に結合された第３の絶縁部材、
を更に含み、前記第３の絶縁部材は、前記第１電極の第１の外部位置の周りの円周に延びる第１の絶縁区画、及び、前記第１電極の第２の外部位置の周りの円周に延びる第２の絶縁区画を含み、
前記第１電極は、前記第１及び第２の絶縁区画の間に位置する活性のエネルギ伝達面を持つ、
ことを特徴とする請求項３６に記載の装置。
【請求項３８】  前記第２セットのＲＦ電極の第２の電極に結合された第４の絶縁部材、
を更に含み、前記第４の絶縁部材は、前記第２電極の第１の外部位置の周りの円周に延びる第１の絶縁区画、及び、前記第２電極の第２の外部位置の周りの円周に延びる第２の絶縁区画を含み、
前記第２電極は、前記第１及び第２の絶縁区画の間に位置する活性のエネルギ伝達面を持つ、
ことを特徴とする請求項３７に記載の装置。
【請求項３９】  前記第１セットのＲＦ電極の第１の電極に結合された第１の絶縁部材、
を更に含み、前記第１の絶縁部材は、前記第１電極の第１の長手方向の外面に沿って延び、前記第１電極の第２の長手方向の外面に沿って延びる絶縁されていない活性エネルギ伝達面を後に残す、
ことを特徴とする請求項１に記載の装置。
【請求項４０】  前記第１セットのＲＦ電極の第２の電極に結合された第２の絶縁部材、
を更に含み、前記第２の絶縁部材は、前記第２電極の第１の長手方向の外面に沿って延び、前記第２電極の第２の長手方向の外面に沿って延びる絶縁されていない活性エネルギ伝達面を後に残す、
ことを特徴とする請求項３９に記載の装置。
【請求項４１】  前記第２セットのＲＦ電極の第１の電極に結合された第３の絶縁部材、
を更に含み、前記第３の絶縁部材は、前記第１電極の第１の長手方向の外面に沿って延び、前記第１電極の第２の長手方向の外面に沿って延びる絶縁されていない活性エネルギ伝達面を後に残す、
ことを特徴とする請求項４０に記載の装置。
【請求項４２】  前記第１、第２、及び、第３の絶縁部材は、選択された組織部位の中心軸線に面するように各々置かれる
ことを特徴とする請求項４１に記載の装置。
【請求項４３】  前記第１、第２、及び、第３の絶縁部材は、選択された組織部位の中心軸線から反対方向を向くように置かれる
ことを特徴とする請求項４１に記載の装置。
【請求項４４】  前記第２セットのＲＦ電極の第２の電極に結合された第４の絶縁部材、
を更に含み、前記第４の絶縁部材は、前記第２電極の第１の長手方向の外面に沿って延び、前記第２電極の第２の長手方向の外面に沿って延びる絶縁されていない活性エネルギ伝達面を後に残す、
ことを特徴とする請求項４１に記載の装置。
【請求項４５】  前記第２セットのＲＦ電極の第２の電極に結合された第４の絶縁部材、
を更に含み、前記第２の絶縁部材は、前記第２電極の第１の長手方向の外面に沿って延び、前記第１電極の第２の長手方向の外面に沿って延びる絶縁されていない活性エネルギ伝達面を後に残す、
ことを特徴とする請求項４１に記載の装置。
【請求項４６】  前記第１、第２、第３、及び、第４の絶縁部材は、選択された組織部位の中心軸線に面するように各々置かれる
ことを特徴とする請求項４５に記載の装置。
【請求項４７】  前記第１、第２、第３、及び、第４の絶縁部材は、選択された組織部位の中心軸線から反対方向を向くように置かれる
ことを特徴とする請求項４５に記載の装置。
【請求項４８】  組織を貫通する十分に鋭い遠位端を備える誘導針と、
第１セットのＲＦ電極、第２のＲＦ電極、及び、第３のＲＦ電極を含むエネルギ伝達装置と、
を含み、前記第１、第２、及び、第３のＲＦ電極の各々は、組織を貫通する遠位端を持ち、前記誘導針が組織を通って前進する時に前記誘導針内に位置することが可能であり、
前記第１及び第２のＲＦ電極は、前記誘導針から組織部位に湾曲して選択的に配置可能であり、前記第３のＲＦ電極は、前記第１及び第２のＲＦ電極よりも湾曲せずに前記誘導針から配置可能であることを特徴とし、さらに、
前記誘導針内に位置することが可能で、前記第１又は第２セットの電極の少なくとも１つに結合される前進部材、
を含み、前記前進部材は、前記第１及び第２セットの電極を固形腫瘍塊の中に前進させ、前進の間、前記誘導針の長手方向の軸に対して実質的にまっすぐであるようにされた
ことを特徴とする細胞壊死装置。
【請求項４９】  前記誘導針の近位部分に位置することができる近位部分を備える摺動部材と、
前記誘導針の前記近位部分に置かれた電極接触部材と、
を更に含むことを特徴とする請求項４８に記載の装置。
【請求項５０】  前記電極接触部材は、前記エネルギ伝達装置に結合されている
ことを特徴とする請求項４９に記載の装置。
【請求項５１】  前記摺動部材は、前記摺動部材に結合されたセンサを含む
ことを特徴とする請求項５０に記載の装置。
【請求項５２】  前記センサは、エネルギ供給装置を前記エネルギ伝達装置に結合するために前記電極接触部材と係合可能である
ことを特徴とする請求項５１に記載の装置。
【請求項５３】  前記第３電極は、実質的に湾曲なしで前記誘導針から配置可能である
ことを特徴とする請求項４８に記載の装置。
【請求項５４】  前記第１セットのＲＦ電極、前記第２セットのＲＦ電極、及び、前記第３のＲＦ電極に結合されたＲＦ電極前進部材
を更に含むことを特徴とする請求項４８に記載の装置。
【請求項５５】  組織を貫通する十分に鋭い遠位端を備える誘導針と、
各々が組織を貫通する遠位端を持ち、前記誘導針が組織を通って前進する時に前記誘導針内に位置することができる第１のＲＦ電極及び第２のＲＦ電極を含むエネルギ伝達装置と、
を含み、
前記第１及び前記第２のＲＦ電極は、前記誘導針から組織部位に湾曲して選択的に配置可能であって、前記第１及び前記第２のＲＦ電極の各々は、それぞれの前記電極が前記誘導針を越えて配置される時に、各電極の全長が組織にさらされるように、前記誘導針に結合されることを特徴とし、さらに
前記第１及び第２のＲＦ電極よりも湾曲せずに前記誘導針から配置可能であって、組織を貫通する遠位端を持ち、前記誘導針が組織を通って前進する時に前記誘導針内に位置することができる配置可能部材と、
前記第１又は第２の電極、或いは前記配置可能部材、のうちの少なくとも１つに結合される前進部材と、
を含み、前記前進部材は、前記第１又は第２の電極、或いは前記配置可能部材を、固形腫瘍塊の中に前進させるようにされ、かつ該前進部材の動きを制御又は制限するように構成された直径、又は形状を持つ作動可能部分を含み、該前進部材の少なくとも一部分は、前記誘導針内に位置することが可能であることを特徴とし、さらに
前記配置可能部材に結合されたセンサと、
を含むことを特徴とする細胞壊死装置。
【請求項５６】  前記センサは、前記配置可能部材の遠位部分に置かれる
ことを特徴とする請求項５５に記載の装置。
【請求項５７】  前記センサは、前記配置可能部材の前記遠位端に置かれる
ことを特徴とする請求項５５に記載の装置。
【請求項５８】  前記配置可能部材は、ＲＦ電極である
ことを特徴とする請求項５５に記載の装置。
【請求項５９】 前記配置可能部材は、反射電極である
ことを特徴とする請求項５５に記載の装置。
【請求項６０】  前記エネルギ伝達装置は、単極方式で作動する
ことを特徴とする請求項５５に記載の装置。
【請求項６１】  前記エネルギ伝達装置は、双極方式で作動する
ことを特徴とする請求項５５に記載の装置。
【請求項６２】  組織を貫通する十分に鋭い遠位端を備える誘導針と、
第１セットのＲＦ電極、及び第２セットのＲＦ電極を含むエネルギ伝達装置と、
を含み、前記第１及び第２セットの各ＲＦ電極は、組織を貫通する遠位端を持ち、前記誘導針が組織を通って前進する時に前記誘導針内に位置することができ、前記第１及び第２セットのＲＦ電極は、前記誘導針から湾曲して配置可能であり、
前記第２セットのＲＦ電極は、前記第１セットのＲＦ電極よりも、前記誘導針から遠距離に配置可能であることを特徴とし、さらに、
前記誘導針内に位置することができ、前記第１又は第２セットの電極の少なくとも１つに結合される前進部材、
を含み、前記前進部材は、前記第１及び第２セットの電極を、固定腫瘍塊の中に前進させるようにされ、前進の間、その全長に沿って、前記誘導針の長手方向の軸に対して実質的にまっすぐであるように構成された
ことを特徴とする細胞壊死装置。
【請求項６３】  前記エネルギ伝達装置、前記第１又は第２セットの電極の１つの電極、又は前記先進部材、のうちの少なくとも１つに結合されたセンサ
をさらに含むことを特徴とする、請求項６２に記載の装置。